(57)【特許請求の範囲】
【請求項１】
公衆回線を介してファクシミリデータを受信する受信部と、
発信元番号と発信元名とを対応付けた発信元情報テーブルが格納される記憶手段と、
該受信部が受信したデータに発信元名が含まれているか否かを判定する判定手段と、
該判定部が肯定判定した場合には、該発信元名をヘッダ領域のサブジェクトフィールドに含み、該判定部が否定判定した場合には、該受信部が受信したデータに含まれる発信元番号が該発信元情報テーブル上に存在すれば、該発信元番号に対応した発信元名を該サブジェクトフィールドに含み、存在しなければ該発信元番号を該サブジェクトフィールドに含み、これらのいずれの場合も、該受信したデータの内容を本文領域に含む電子メールメッセージを作成する電子メールメッセージ作成手段と、
電子メール送信部と、
該電子メール送信部に対し該電子メールメッセージを、設定された宛先メールアドレスへ送信させる送信制御手段と、
を有することを特徴とするインターネットファクシミリ装置。
【請求項２】
該電子メールメッセージ作成手段はさらに、ファクシミリ受信であることを示す情報を該サブジェクトフィールドに含ませることを特徴とする請求項１に記載のインターネットファクシミリ装置。
【発明の詳細な説明】
【技術分野】
【０００１】
本発明は、公衆回線や社内通信回線等の通信回線を介したファクシミリ受信機能とネットワークを介した電子メール送信機能とを含む専用の又は複合機に組み込まれたインターネットファクシミリ装置に関する。
【背景技術】
【０００２】
下記特許文献１には、送信者側でインターネットファクシミリ装置のワンタッチダイヤルに送信元の番号又は複数のメールアドレスと送信元名とを登録しておき、その１つを選択しさらに送信先メールアドレスを指定して原稿画像を相手のインターネットファクシミリ装置に送信する構成が開示されている。
【０００３】
この構成によれば、送信元が電子メールの場合、複数人で共用される同一インターネットファクシミリ装置からの送信者を、受信側のインターネットファクシミリ装置の受信一覧表を見ただけで識別可能となり、送信元が通信回線を介したファクシミリの場合、受信一覧表を見ただけで送信元を識別可能となる。
【特許文献１】特開平１１−３０６１２０号公報
【発明の開示】
【発明が解決しようとする課題】
【０００４】
しかしながら、送信者側でこのような登録が行われていない場合、受信者側でその恩恵に浴することができない。
【０００５】
特に、通信回線を介した複数箇所からのファクシミリ受信を電子メールで１箇所へ転送する場合、受信者のメーラの一覧表は例えば図８（Ｂ）に示すようになり、発信元を識別することができない。通信回線を介した１箇所からのファクシミリ受信についても同様である。
【０００６】
本発明の目的は、このような問題点に鑑み、通信回線を介したファクシミリ受信を電子メールで転送した場合に、その受信者のメーラの一覧表示でファクシミリ発信元を識別可能にするインターネットファクシミリ装置を提供することにある。
【課題を解決するための手段】
【０００７】
本発明によるインターネットファクシミリ装置の一態様では、例えば図３に示す如く、
通信回線を介してファクシミリデータを受信する受信部１と、
発信元番号と発信元名とを対応付けた発信元情報テーブル２が格納される記憶手段３と、
該受信部１が受信したデータ４から発信元番号を抽出し、該発信元情報テーブル２を参照して、該発信元番号に対応した発信元名を取得し、該発信元名をヘッダ領域のサブジェクトフィールドに含むとともに該受信したデータの内容を本文領域に含む電子メールメッセージ５を作成する電子メールメッセージ作成手段６と、
電子メール送信部７と、
該電子メール送信部７に対し該電子メールメッセージ５を、設定された宛先メールアドレスへ送信させる送信制御手段８とを有する。
【発明の効果】
【０００８】
上記態様の構成によれば、発信元が発信元名を送信しなくてもサブジェクトにファクシミリ発信元名が含まれるので、該電子メールメッセージの受信者がそのメーラを起動させて受信一覧表を表示させるだけで、ファクシミリ発信元を容易に識別することができるという効果を奏する。
【０００９】
本発明の他の目的、構成及び効果は以下の説明から明らかになる。
【実施例１】
【００１０】
以下、図面を参照して本発明の実施例を説明する。
【００１１】
図１は、本発明のインターネットファクシミリ装置１０が適用されたシステムを示す概略ブロック図である。
【００１２】
インターネットファクシミリ装置１０は、通信回線網１１、例えば公衆回線網又はローカルな通信回線網を介して任意のファクシミリ装置１２に結合されるとともに、イントラネット１３に結合されている。このイントラネット１３には、インターネットファクシミリ装置１０と通信を行うパーソナルコンピュータ１４及びメールサーバ１５が結合されるとともに、不図示のルータを介してインターネット１６に結合されている。インターネット１６に結合された任意のパーソナルコンピュータ１７から、電子メールをメールサーバ１５へ送信することができる。
【００１３】
インターネットファクシミリ装置１０では、ＦＡＸ制御部２０に、操作パネル２１、スキャナ２２、プリンタ２３、符号化部２４、復号部２５、設定メモリ２６、ＦＡＸデータメモリ２７、ＦＡＸモデム２８及びネットワークインターフェイス２９が結合されている。
【００１４】
ＦＡＸ制御部２０は、プログラムが格納された不揮発性メモリと、ワークエリア用ＲＡＭと、このプログラムを実行して、ＦＡＸ制御部２０に結合された各要素を制御するＣＰＵと、該ＣＰＵとこれらの要素との間に結合されるインタフェースとを備えている。
【００１５】
操作パネル２１は、表示部とキー入力部とを備えており、設定情報又は指示を入力し、設定画面やエラーなどを表示させるためのものである。
【００１６】
符号化部２４は、指定されたデータを、設定に応じて符号化するものであり、この符号化にはＨＭ符号化及びＭＲ符号化が含まれる。復号部２５は、符号化部２４と逆の処理を行うものである。符号化部２４及び復号部２５は、１つのコーデックＩＣであっても、プログラムに従ってこれらの処理を上記ＣＰＵで実行する構成であってもよい。
【００１７】
設定メモリ２６及びＦＡＸデータメモリ２７はいずれも、書き換え可能な不揮発性メモリ、例えばフラッシュメモリである。設定メモリ２６は、物理的にはＦＡＸデータメモリ２７内の一部領域であってもよい。
【００１８】
設定メモリ２６には、インターネットファクシミリ装置１０内の構成要素に関する各種設定が格納され、その一部として、図２（Ａ）に示すような、電子メールによる受信内容の転送設定値２６１が格納されている。この設定値には、電子メールによる転送有無を示すフラグと、転送先電子メールアドレスと、受信内容を添付ファイルにするときのファイル形式とがある。これらの設定値は、操作パネル２１又はパーソナルコンピュータ１４を操作して設定される。
【００１９】
設定メモリ２６にはまた、図２（Ｂ）に示すような発信元情報テーブル２６２が格納されている。このテーブル２６２には、発信元番号と発信元名とが対応付けられて登録されている。この登録は、操作パネル２１又はパーソナルコンピュータ１４を操作して行われる。
【００２０】
ＦＡＸモデム２８は、モデム及びＮＣＵ（Network Control Unit）を備えている。
【００２１】
ＦＡＸ制御部２０は、ファクシミリ装置１２から通信回線網１１及びＦＡＸモデム２８を介してファクシミリデータを受信すると、これをＦＡＸデータメモリ２７のバッファ領域に格納させながら、そのデータの符号化方式に応じて、復号部２５に対しこのデータを復号させ、その結果をＦＡＸデータメモリ２７に格納させる。
【００２２】
ＦＡＸ制御部２０は、転送設定値２６１の転送有フラグが‘０’であれば、この復号したデータをプリンタ２３に供給して、その内容を用紙に印刷させ、‘１’であれば、図４に示す処理を行う。以下、括弧内は図中のステップ識別符号である。
【００２３】
（Ｓ０）上記バッファ領域に格納された受信データに含まれる発信元番号を抽出する。この発信元番号は、ＮＣＵによる着呼制御において受信したものである。
【００２４】
（Ｓ１）この発信元番号をキーとして発信元情報テーブル２６２を検索する。
【００２５】
（Ｓ２）この検索がヒットすればステップＳ３へ進み、そうでなければステップＳ４へ進む。
【００２６】
（Ｓ３）転送すべき電子メールのＳｕｂｊｅｃｔフィールドに、ヒットした番号に対応した発信元名を記入する。このＳｕｂｊｅｃｔフィールドにさらに、この電子メールがファクシミリ受信通知であることを示す情報、例えば「ＦＡＸ受信通知」と、受信内容の添付ファイル名とを、付加情報として追加する。次にステップＳ５へ進む。
【００２７】
（Ｓ４）Ｓｕｂｊｅｃｔフィールドに、発信元番号と、上記付加情報とを記入する。
【００２８】
（Ｓ５）Ｆｒｏｍフィールド、Ｔｏフィールドその他のヘッダフィールドを付加する。
【００２９】
（Ｓ６）ＦＡＸ制御部２０は、符号化部２４に対し、上記復号されたファクシミリ受信データを、転送設定値２６１に設定されたファイル形式に変換させ、それを、設定メモリ２６に予め登録された本文に添付して、電子メールメッセージを完成させる。
【００３０】
（Ｓ７）このメッセージを、転送設定値２６１に登録された転送先へ、ネットワークインターフェイス２９を介し送信する。この電子メールは、例えばＳＭＴＰプロトコルにより、メールサーバ１５で受信される。パーソナルコンピュータ１４又は１７は、例えばＰＯＰ３プロトコルにより、メールサーバ１５をアクセスし、自己宛の電子メールを受信する。
【００３１】
このような処理により、受信者のメーラの受信メール一覧表には、例えば図８（Ａ）に示すような表が表示される。
【００３２】
本実施例１によれば、発信元が発信元名を送信しなくても電子メールメッセージのヘッダのサブジェクトにファクシミリ発信元名が含まれるので、電子メールメッセージ受信者がそのメーラを起動させて受信一覧表を表示させるだけで、ファクシミリ発信元を容易に識別することができるという効果を奏する。
【実施例２】
【００３３】
図５は、図４に対応した、本発明の実施例２に係るファクシミリ受信データ転送処理を示す概略フローチャートである。このフローチャートでは、図４のそれに、ステップＳ１０とステップＳ１１とが付加され、ステップＳ２で否定判定された場合にステップＳ１０へ進む。
【００３４】
（Ｓ１０）上記着呼制御の段階で発信元名を受信していればステップＳ１１へ進み、そうでなければステップＳ４へ進む。
【００３５】
なお、この発信元名は、ファクシミリ通信プロトコル情報内の発信元名フィールドに含まれ、発信元名を用いるには、送信側と受信側のファクシミリ装置がこのフィールドの送受を行うように構成されている必要があり、この構成はメーカに依存する。
【００３６】
（Ｓ１１）Ｓｕｂｊｅｃｔフィールドに、発信元名と上記付加情報とを記入し、ステップＳ５へ進む。
【００３７】
本実施例２によれば、発信元情報テーブル２６２に登録されていない発信元からファクシミリを受信してもそのデータに発信元名が含まれていればこれが転送電子メールのＳｕｂｊｅｃｔフィールドに付加されるので、実施例１で述べた効果がさらに高められる。
【実施例３】
【００３８】
図６は、図４に対応した、本発明の実施例３に係るファクシミリ受信データ転送処理を示す概略フローチャートである。このフローチャートでは、図４のそれに、ステップＳ０の前に実行されるステップＳ１０と、ステップＳ１１とが付加されている。
【００３９】
（Ｓ１０）上記着呼制御の段階で発信元名を受信していればステップＳ１１へ進み、そうでなければステップＳ０へ進む。
【００４０】
（Ｓ１１）Ｓｕｂｊｅｃｔフィールドに、発信元名と上記付加情報とを記入し、ステップＳ５へ進む。
【００４１】
本実施例３によれば、発信元から受信したファクシミリに発信元名が含まれていればこれが優先して、転送電子メールのＳｕｂｊｅｃｔフィールドに付加されるので、発信元側の名称変更に自動対応できる。
【実施例４】
【００４３】
（Ｓ１０）上記着呼制御の段階で宛先名を受信していればステップＳ１１へ進み、そうでなければステップＳ０へ進む。
【００４４】
（Ｓ１１）Ｓｕｂｊｅｃｔフィールドに、宛先名と上記付加情報とを記入し、ステップＳ０へ進む。
【００４５】
ステップＳ２で否定判定された場合、ステップＳ１２へ進む。
【００４６】
（Ｓ１２）上記着呼制御の段階で宛先名を受信していればステップＳ５へ進み、そうでなければステップＳ４へ進む。
【００４７】
本実施例４によれば、発信元から受信したファクシミリ含まれる宛先名と、発信元情報テーブル２６２の検索でヒットした発信元名とが共に、転送電子メールのＳｕｂｊｅｃｔフィールドに付加されるので、実施例１で述べた効果が高められる。
【００４８】
本発明の好適な実施例を説明したが、本発明には他にも種々の変形例が含まれ、上記複数の実施例で述べた構成要素の他の組み合わせ、各構成要素の機能を実現する他の構成を用いたもの、当業者であればこれらの構成又は機能から想到するであろう他の構成も、本発明に含まれる。
【００４９】
例えば、上記実施例１〜３を転送モードとして備え、その１つをユーザが選択する構成であってもよい。
【００５０】
また、本発明は少なくとも、通信回線を介したファクシミリ受信機能とネットワークを介した電子メール送信機能を備えていればよく、スキャナ２２やプリンタ２３を備えないインターネットファクシミリ装置であってもよい。
【図面の簡単な説明】
【００５１】
【図１】本発明のインターネットファクシミリ装置１０が適用されたシステムを示す概略ブロック図である。
【図２】（Ａ）は、電子メールによる受信内容転送の設定値説明図であり、（Ｂ）は発信元番号と発信元名とのフィールドを含む転送設定値２６１説明図である。
【図３】本発明の原理を説明する概略ブロック図である。
【図４】本発明の実施例１に係るファクシミリ受信データ転送処理を示す概略フローチャートである。
【図５】本発明の実施例２に係るファクシミリ受信データ転送処理を示す概略フローチャートである。
【図６】本発明の実施例３に係るファクシミリ受信データ転送処理を示す概略フローチャートである。
【図７】（Ａ）は本発明の実施例１を実施した場合に、受信者のメーラに表示される受信メール一覧表の説明図であり、（Ｂ）はこれに対応した従来の受信メール一覧表の説明図である。
【符号の説明】
【００５２】
１０  インターネットファクシミリ装置
１２  ファクシミリ装置
１１  通信回線網
１３  イントラネット
１４、１７  パーソナルコンピュータ
１５  メールサーバ
１６  インターネット
２０  ＦＡＸ制御部
２１  操作パネル
２２  スキャナ
２３  プリンタ
２４  符号化部
２５  復号部
２６  設定メモリ
２６１  転送設定値
２０２  発信元情報テーブル
２７  ＦＡＸデータメモリ
２８  ＦＡＸモデム
２９  ネットワークインターフェイス
【図１】
0005004132.tif 000002
【図２】
0005004132.tif 000003
【図３】
0005004132.tif 000004
【図４】
0005004132.tif 000005
【図５】
0005004132.tif 000006
【図６】
0005004132.tif 000007
【図７】
0005004132.tif 000008